(57)【要約】キオスク／ダウンロードステーション（２）は、キオスク（２）から所定の装置（８）に新たに購入されたプログラム素材及び／又は予め購入された関連顧客のプログラム素材を迅速にダウンロードするためのサービスを、提供されるべき可搬型音声及び／又は音声／映像再生／記録装置（８）を所有している又は新たに購入する顧客に提供するために、小売施設、モール等の公共の場に位置付けられていて、キオスク（２）は、顧客のＰＣ（１２）においてプログラム素材を更新することにより顧客がバックアップコピーを生成することのみを可能にし、ＰＣから顧客の単独の装置（８）にプログラム素材のみをダウンロードする一方、顧客の装置（８）又はＰＣ（１２）のどちらかからのプログラム素材の何れの他のコピーを防止する方式でプログラム素材を符号化する。
2008519472.tif 000002
【特許請求の範囲】
【請求項１】
複数の可搬型再生／記録装置に関連する音声コンテンツ、映像コンテンツ、音声／映像コンテンツ及び／又はソフトウェアの何れかを有するプログラム素材のセキュアな且つコピー保護されたダウンロード及び／又はアップロードを与えるための方法であって：
未だに割り当てられていない場合に、前記複数の可搬型再生／記録装置の各々の一に一意の装置識別コード（ＩＤ）を割り当てる段階；
以前に購入されたプログラム素材を有するデジタルコンテンツの各々の所有者及び／又は前記複数の可搬型再生／記録装置の一の各々の所有者のどちらか又は両方に対して一意のユーザ識別コードを割り当てる段階であって、それにより、プログラム素材の一般所有者のためのコード及び装置は同じコード又は個別化コードであることが可能である、段階；
ショップ又は他の公共の場の小売施設においてキオスク／ダウンロードステーションを設置する段階であって、前記キオスク／ダウンロードステーションは、プログラム素材を記憶するためのコンテンツデータベースと、関連装置ＩＤ及び関連ユーザＩＤを記憶するための顧客及び装置データベースとを有する、段階；並びに
前記装置ＩＤ割り当て段階及び前記ユーザ割り当て段階を実行するための前記キオスク／ダウンロードステーションをプログラミングする段階であって、
前記ユーザが前記コンテンツデータベースに有するプログラム素材の特定な個別の部分を選択することを可能にする段階と、
特定の装置及びユーザへの割り当てのために、前記選択されたプログラム素材の各々の個別の部分を暗号化する段階と、
前記ユーザの前記装置のメモリに前記コンテンツデータベースから前記選択されたプログラム素材の各々の符号化された部分を個別にダウンロードする段階と、
前記選択されたプログラム素材を保持するように前記コンテンツデータベースを更新する段階と、
を有する、段階；
を有する方法。
【請求項２】
請求項１に記載の方法であって、前記キオスク／ダウンロードステーションをプログラミングする段階は：
新しい可搬型再生／記録装置を購入するユーザのＩＤを前記割り当てられた装置ＩＤと関連付ける段階；及び
前記顧客及び装置データベースを更新する段階；
を更に有する、方法。
【請求項３】
請求項１に記載の方法であって、前記プログラム素材の特定な個別の部分を選択することを可能にする段階は、前記ユーザが、前記コンテンツデータベースに含まれ、前記ユーザに現在“所有されている”プログラム素材の部分のみを選択する段階を更に有する、方法。
【請求項４】
請求項１に記載の方法であって、ユーザが新しいプログラム素材を購入するために、前記キオスク／ダウンロードステーションをプログラミングする段階は：
ユーザが新しく購入したデジタルコンテンツのＩＤを前記ユーザＩＤ又は装置ＩＤと関連付ける段階；
前記ユーザが新しく購入したデジタルコンテンツのＩＤを前記ユーザＩＤ又は装置ＩＤと関連付ける段階に応じて、前記顧客及び装置データベースを更新する段階；並びに
未だに含まれていない場合、前記コンテンツデータベースに前記新しく購入されたデジタルコンテンツに含まれるプログラム素材の部分を更新する段階； 
を有し、
前記プログラム素材の特定な個別の部分を選択することを可能にする段階は、前記ユーザが、前記コンテンツデータベースに含まれる前記新しく購入されたプログラム素材の部分の何れの一部又は全部を選択する段階を有する；
方法。
【請求項５】
請求項４に記載の方法であって、前記プログラム素材の特定な個別の部分を選択することを可能にする前記段階は、前記ユーザの一人が前記ユーザにより現在“所有されている”及び前記コンテンツデータベースに含まれているプログラム素材の部分を選択するか、又は前記プログラム素材の部分を自動的に選択するかのどちらかである、方法。
【請求項６】
請求項５に記載の方法であって、前記キオスク／ダウンロードステーションをプログラミングする前記段階は：
前記関連付けられた装置ＩＤに新しい可搬型再生／記録装置を購入するユーザのＩＤを関連付ける段階；
前記顧客及び装置データベースを更新する段階；
を更に有する、方法。
【請求項７】
請求項２に記載の方法であって：
前記ユーザへの引き渡しに先立って、前記新しく購入された装置に、前記ユーザにより“所有されている”及び選択されたプログラム素材を予めインストールする段階；
を更に有する、方法。
【請求項８】
請求項１に記載の方法であって：
プログラム素材をダウンロードするためにユーザの前記装置を受け取る段階；
前記ユーザの装置の前記ＩＤと前記ユーザのＩＤを関連付ける段階；及び
前記ユーザにより所有されている選択されたプログラム素材をダウンロードするために前記プログラム素材の特定な個別の部分を選択することを可能にする前記段階、前記選択されたプログラム素材の各々の個別の部分を暗号化する前記段階、及び前記ユーザの前記装置のメモリに前記コンテンツデータベースから前記選択されたプログラム素材の各々の符号化された部分を個別にダウンロードする前記段階を連続的に繰り返す段階；
を更に有する、方法。
【請求項９】
請求項１に記載の方法であって、前記符号化する段階は、ユーザが該ユーザの装置から前記ユーザのＰＣにプログラム素材のみをオフロードし、その後、前記ユーザの装置に戻すようにダウンロードするのみのためにバックアップとして前記ＰＣに前記プログラム素材のみを保持する一方、前記プログラム素材の何れの他の装置における消費を禁止することができることを確実にするように、ＤＲＭモデルを用いる、方法。
【請求項１０】
請求項４に記載の方法であって、前記新しく購入されたデジタルコンテンツは、小売業者から購入されたデジタルコンテンツ及びインターネットにおいて購入されたデジタルコンテンツのどちらかの一又はそれらの組み合わせである、方法。
【請求項１１】
バックアップコピーとして装置からＰＣに顧客／ユーザによりプログラム素材の後のアップローディングをコピー保護する方式で、キオスクからそれぞれの顧客の可搬型再生／記録装置へのセキュアな且つコピー保護されたプログラム素材のダウンロードを有する顧客／ユーザへのサービスを提供するように、小売施設を有する公共の場における場所のためのキオスク／ダウンロードステーション装置であって、前記プログラム素材は音声コンテンツ、映像コンテンツ、音声／映像コンテンツ又はソフトウェアの何れを有し、前記キオスク／ダウンロードステーション装置は：
プログラム素材を記憶するためのコンテンツデータベース；
各々の顧客のための一意のユーザＩＤコードと、顧客ＩＤオーナー及び／又はプログラム素材に関して識別可能な前記装置の各々の一についての一意の装置ＩＤコードとを記憶するための顧客及び装置データベース；
前記コンテンツデータベースに対してプログラム素材を、前記顧客及び装置データベースに対して顧客／装置ＩＤを選択的に更新するためのプログラマブル制御手段であって、前記プログラマブル制御手段は：
プログラム素材を記憶するためのコンテンツデータバース；
各々の顧客のための一意のユーザＩＤコードと、顧客ＩＤオーナー及び／又はプログラム素材に関して識別可能な前記装置の各々の一のための一意の装置ＩＤとを記憶するための顧客及び装置データベース；並びに
前記コンテンツデータベースに対してプログラム素材を、及び前記顧客及び装置データベースに対して顧客／装置ＩＤコードを選択的に更新するためのプログラマブル制御手段であって、該プログラマブル制御手段は、
最初に予め割り当てられていない場合、前記複数の可搬型再生／記録装置の各々の一に一意の装置識別コード（ＩＤ）を割り当てる段階と、
プログラム素材を有する予め購入されたデジタルコンテンツの各々のオーナー及び／又は前記複数の可搬型再生／記録装置のそれぞれの一の各々のオーナーの何れ又は両方に対して一意のユーザ識別コードを割り当てる段階と、
前記コンテンツデータベースに含まれるプログラム素材の特定の個々の部分を選択する段階と、
公開鍵を使用することにより前記選択されたプログラム素材の各々の個別の部分を暗号化する段階と、
前記ユーザの前記装置のメモリに前記コンテンツデータベースから前記選択されたプログラム素材の各々の符号化された部分を個々にダウンロードする段階と、
を有するそれらの段階に従うようにプログラムされている、プログラマブル制御手段；
を有する、キオスク／ダウンロードステーション装置。
【請求項１２】
請求項１１に記載のキオスク／ダウンロードステーション装置であって、前記プログラマブル制御手段はマイクロプロセッサを有する、キオスク／ダウンロードステーション装置。
【請求項１３】
請求項１１に記載のキオスク／ダウンロードステーション装置であって、前記プログラマブル制御手段の前記プログラミングは：
前記割り当てられた装置ＩＤを、新しい可搬型再生／記録装置を購入するユーザのＩＤに関連付ける段階；及び
前記顧客及び装置データベースを更新する段階；
を有する、キオスク／ダウンロードステーション装置。
【請求項１４】
請求項１１に記載のキオスク／ダウンロードステーション装置であって、前記可能にする段階は、前記ユーザに現在“所有されている”及び前記コンテンツデータベースに含まれているプログラム素材の部分のみを選択する前記ユーザを更に有する、キオスク／ダウンロードステーション装置。
【請求項１５】
請求項１１に記載のキオスク／ダウンロードステーション装置であって、前記プログラマブル制御手段のプログラミングは、ユーザが購入する新しいプログラム素材のための段階であって：
ユーザが新しく購入したデジタルコンテンツのＩＤを前記ユーザのＩＤと関連付ける段階；
前記ユーザが新しく購入したデジタルコンテンツのＩＤを前記ユーザＩＤ又は装置ＩＤと関連付ける段階に応じて、前記顧客及び装置データベースを更新する段階；並びに
未だに含まれていない場合、前記コンテンツデータベースに新しく購入されたプログラム素材のために参照識別コードを更新する段階； 
を有する、キオスク／ダウンロードステーション装置であり、
前記プログラム素材の特定な個別の部分を選択することを可能にする段階は、前記ユーザが、前記コンテンツデータベースに含まれる前記新しく購入されたプログラム素材の部分の何れの一部又は全部を選択する段階を有する；
キオスク／ダウンロードステーション装置。
【請求項１６】
請求項１５に記載のキオスク／ダウンロードステーション装置であって、前記可能にする段階は、前記ユーザに現在“所有されている”及び前記コンテンツデータベースに含まれているプログラム素材の部分を選択する前記ユーザを更に有する、キオスク／ダウンロードステーション装置。
【請求項１７】
請求項１６に記載のキオスク／ダウンロードステーション装置であって、前記プログラマブル制御手段の前記プログラミングは：
前記割り当てられた装置ＩＤを、新しい可搬型再生／記録装置を購入するユーザのＩＤに関連付ける段階；及び
前記顧客及び装置データベースを更新する段階；
を有する、キオスク／ダウンロードステーション装置。
【請求項１８】
請求項１３に記載のキオスク／ダウンロードステーション装置であって：
前記ユーザへの引き渡しに先立って、前記新しく購入された装置に、前記ユーザにより“所有されている”及び選択されたプログラム素材を予めインストールする段階；
を更に有する、キオスク／ダウンロードステーション装置。
【請求項１９】
請求項１１に記載のキオスク／ダウンロードステーション装置であって：
プログラム素材をダウンロードするためにユーザの前記装置を受け取る段階；
前記ユーザの装置の前記ＩＤと前記ユーザのＩＤを関連付ける段階；及び
前記ユーザにより所有されている選択されたプログラム素材をダウンロードするために前記プログラム素材の特定な個別の部分を選択することを可能にする前記段階、前記選択されたプログラム素材の各々の個別の部分を暗号化する前記段階、及び前記ユーザの前記装置のメモリに前記コンテンツデータベースから前記選択されたプログラム素材の各々の符号化された部分を個別にダウンロードする前記段階を連続的に繰り返す段階；
を更に有する、キオスク／ダウンロードステーション装置。
【請求項２０】
請求項１１に記載のキオスク／ダウンロードステーション装置であって、前記プログラマブル制御手段の前記プログラミングは、前記ユーザの前記装置から前記ユーザのＰＣにプログラム素材のみをオフロードし、その後、前記ユーザの装置に戻すようにダウンロードするのみのためにバックアップとして前記ＰＣに前記プログラム素材のみを保持する一方、前記プログラム素材の何れの他のコピーを禁止することができることを確実にするように、ＤＲＭモデルを用いる前記符号化の段階を更に有する、キオスク／ダウンロードステーション装置。
【請求項２１】
請求項１５に記載のキオスク／ダウンロードステーション装置であって、前記新しく購入されたデジタルコンテンツは、小売業者から得られたデジタルコンテンツの原型及びインターネットからダウンロードされたプログラム素材を有するデジタルコンテンツのどちらかの一又はそれらの組み合わせである、キオスク／ダウンロードステーション装置。
【請求項２２】
小売施設又は他の公共の場の場所のためのキオスク／ダウンロードステーションであって：
音声、映像、ソフトウェア及び／又は音声／映像プログラム素材を有するプログラム素材のためのコンテンツデータベース；
顧客のＩＤのための顧客及び装置データベース、及び関連可搬型音声及び／又は音声／映像再生／記録装置のＩＤ；
前記顧客及び装置データベースにおける記憶のために、各々の顧客に対して、及び、前記装置が所有されている各々の顧客に対して、製造業者又は他のシステムにより未だに予め割り当てられていない場合、一意のＩＤを割り当てるための手段；
前記顧客により所有されている及び前記顧客に対して識別可能である前記デジタルコンテンツから前記コンテンツデータベースプログラム素材に対して更新するための手段；並びに
前記顧客の前記装置に前記コンテンツデータベースから顧客が所有するプログラム素材を選択的にダウンロードするためのダウンロード手段；
を有するキオスク／ダウンロードステーション。
【請求項２３】
請求項２２に記載のキオスク／ダウンロードステーションであって：
前記関連可搬型音声及び／又は音声／映像再生／記録装置からのプログラム素材の無許可のコピーを防止するために、前記関連可搬型音声及び／又は音声／映像再生／記録装置にダウンロードされるときに、顧客が選択したプログラム素材を符号化するための符号化手段；
を更に有するキオスク／ダウンロードステーション。
【請求項２４】
請求項２３に記載のキオスク／ダウンロードステーションであって、前記符号化手段は：
顧客が、前記顧客の前記装置から前記顧客のＰＣにアップロードすることにより前記プログラム素材のバックアップコピーを作成することを可能にするための手段；
を更に有する、キオスク／ダウンロードステーション。
【発明の詳細な説明】
【技術分野】
【０００１】
本発明の分野は、一般に、携帯型ハードディスクに基づく顧客電子製品に関連するシステム及び装置に関し、更に具体的には、音声及び／又は音声／映像ジュークボックスに関する。
【背景技術】
【０００２】
音声／映像素材の再生及び記録のための、例えば、Ａｐｐｌｅ  ｉＰｏｄ（登録商標）、Ｐｈｉｌｉｐｓ  ＨＤＤ１００  Ｒｅｃｏｒｄｉｎｇ  Ａｕｄｉｏ  Ｊｕｋｅｂｏｘｅｓ（登録商標）及びＡｒｃｈｏｓ  ＡＶ３００（登録商標）等の継続的で急速な普及及び携帯型ジュークボックスの市場への導入により、ユーザはプログラム素材を違法にコピーすることが益々容易になってきている。そのような素材に対する著作権者は、彼らの著作権についての違法行為を心配し、そのような装置及びプログラム素材の販売店は売り上げ減少を心配している。そのような装置のユーザが、彼等が過去に購入した又は他のひとから借りたＣＤ及びＤＶＤから音声／映像素材をコピーしないようにするには、不十分な予防対策しか存在しない。また、複数のインターネットサイトからのダウンロードは、そのような装置のユーザがユーザの携帯型装置において再生するための音声／映像プログラム素材を違法に得る機会を与えている。プログラム素材へのそのような違法なアクセスを回避するように支援するために、コピー条件付きＣＤが市場に導入されている。
【０００３】
当該技術分野における携帯型音声／映像ジュークボックスのユーザに対する他の問題点は、ユーザがプログラム素材を合法的に又は違法的にコピーするように意図するに拘わらず、彼らが音声素材を彼らの携帯型装置にコピーするためにＣＤ当たり５乃至１０分間を消費し、そして、音声及び映像コンテンツの両方を記録し、再生することができる装置に音声／映像プログラム素材をコピーするためにはより長い時間を消費することである。ＣＤの典型的な平均サイズのコレクションから音声プログラミングの大きいコレクションをユーザが記録するためには、ユーザは、そのような素材を彼等の携帯型装置に記録するために数時間を、そのような素材の非常に大きいコレクションのためには数日を費やす必要がある。音声／映像素材の大きいコレクションを記録するためには更に長い時間が必要である。また、そのようなユーザは、インターネットから彼らの装置に素材を記録することを意図する場合、パーソナルコンピュータ（ＰＣ）を必要とする。そのような携帯型装置のためのユーザに対する上記の課題の全ては、コンテンツ及び装置の両方の小売業者に対して及び著作権者に対して、例えば、音声又は音声／映像のような所望のプログラム素材、若しくはソフトウェア（アップグレードされた）、ナビゲーション及び他のデジタルオブジェクトのためのマップを得るための経済的で合法的な資源をそのような携帯型装置のユーザに提供するための方法及び装置を開発するための機会を与える。
【発明の開示】
【課題を解決するための手段】
【０００４】
本発明は、携帯型音声及び／又は音声／映像ジュークボックスのユーザがタイムリーで効率的に所望のプログラム素材を容易に得ることを経済的に可能にする方法及び装置を提供することにより、当該技術分野における課題を克服する。本発明の一実施形態においては、小売業者は、顧客又は購入者により以前に購入された又は現時点で購入されたプログラム素材の小売業者により保持されているデータベースから装置のハードドライブに、購入された装置に応じて、音声又は音声／映像素材を小売業者に転送させる能力を、新しい携帯型ジュークボックスの購入者に提供することができる。そのような音声又は音声／映像素材は、その装置のハードディスクにおける記録のための転送に先立って、小売業者により制御されるダウンロードステーションを介して公開鍵により符号化され、それにより、符号化プログラム素材は、次いで、携帯型装置における記録のために転送される。暗号化は、プログラム素材のバックアップコピーを保持するように、携帯型装置の購入者又はユーザがユーザのパーソナルコンピュータＰＣのハードドライブにユーザの携帯型装置から記録素材のコピーをダウンロードすることを可能にするような方式で実行されることが可能である。暗号化素材は、ユーザが携帯型装置に戻るように彼らの家庭のコンピュータからプログラム素材を転送することを可能にする方式でのみ保護される。このように、プログラム素材の創作者又は現在の所有者の著作権は保護され、小売業者は、そのような携帯型装置を得ることに加えてまた、新たに購入した携帯型装置に顧客の以前に所有したプログラム素材の迅速且つ経済的な転送を可能にするためのサービスを提供する機会が与えられる。
【０００５】
装置の他の実施形態においては、携帯型装置のユーザは、何れの所望のときに小売業者から追加のプログラム素材を購入することができる。小売業者は、携帯型装置のための新しいコンテンツの購入者が多数の異なるプログラム素材へのユーザのアクセスを可能にするように、音声素材、音声／映像素材等プログラム素材の大きいデータベースを保持する。小売業者からそのような素材を購入するとき、プログラム素材は、新しい装置へのダウンロードのためにショップ又は小売業者のデータベースにおいて購入者が符号化参照を以前に所有し、それ故、保持していることを、プログラム素材を有する新しい装置の購入者に予め示すように、携帯型装置のハードドライブにおいて、符号化され、暗号化され、そしてダウンロードされる。ショップは、参照を用いることにより、現在記憶されているコンテンツに装置のユーザを結び付けることに留意されたい。大きいデータベースは、この実施例においては、プログラム素材の全てを記憶するためにショップにより保持され、ユーザ／装置のリストは、以前に購入されたプログラム素材を個別に参照する。
【０００６】
本発明の他の実施形態においては、上記の実施形態のダウンロードサービスを提供する能力を小売業者に与えるように、小売業者は、何れの所定時間に市場で利用可能である種々の携帯型装置に関する必要な情報と共に、キオスク／ダウンロードステーション、種々のプログラム素材の大きいデータベース及び顧客が所有するプログラム素材のデータベースを保持する。上記のように、キオスク／ダウンロードステーションは、実際のコンテンツ自体を含まないデータベースにユーザが所有するコンテンツに対する符号化基準のみを記憶し、後者は別個の大きいデータベースに記憶されている。それらのデータベースは、新しいプログラム素材が利用可能になったときに及び新しい携帯型装置が利用可能になったときに継続的に更新される。また、顧客が新しいプログラム素材を購入するとき、参照を有する顧客が以前に所有したプログラムデータベースは同様に更新される。メモリ空間に保存するように、小売業者の一般的なコンテンツデータベース又は大きいプログラム素材データベースは、顧客により以前に購入されたＣＤ及び／又はＤＶＤ又は他のプログラム素材に関連する符号化参照を介して、顧客が所有する素材データベースに結び付けられることができる。小売業者は、顧客のデータベースに記憶されている素材について符号を用いることにより一般的なコンテンツデータベースからプログラム素材にアクセスすることができる。
【０００７】
本発明の種々の実施形態について、以下に、図を参照して詳述していて、同じアイテムには同じ参照符号が付けられている。
【発明を実施するための最良の形態】
【０００８】
図１を参照するに、本発明の複数の特徴を備えているシステムを示している。小売店又は適切な公共の場に位置しているキオスク／ダウンロードステーション２は、デジタル化プログラム素材（例えば、音声、音声／映像、ソフトウェア、ナビゲーション及び他の素材）のためのコンテンツデータベースと、顧客が現在所有している又は将来に購入する携帯型装置及び顧客に関連する情報を保存するための顧客／装置データベース６を有する。上記のように、図１において“可搬型”装置８として示されている、携帯型又は可搬型音声ジュークボックス又は音声／映像レコーダ／プレーヤ８は、楽曲、ミュージカル作品のような音声プログラミング素材、及び／又は、妥当な場合、この実施例における可搬型装置８のメモリ１０に記録するための音声／映像プログラム素材をダウンロードするために、キオスク／ダウンロードステーション２に接続されることができる。可搬型装置８はまた、ユーザ又は顧客の家庭用パーソナルコンピュータ（ＰＣ）１２に接続されることが可能である。参照番号１４で表されている符号は、装置８とＰＣ１２との間のデータの交換が必ずしも許可されていないことを示すためのものである。ＰＣ１２は、メモリ１６にプログラム素材のバックアップコピーを保持する。上記のように、暗号化は、可搬型装置８の所有者以外によるプログラム素材の無許可の使用を防止するように、その可搬型装置８のみがＰＣ１２のメモリ１６におけるバックアップコピーへのアクセスを得ることができることを確実にするようになっている。このことに関して、キオスク／ダウンロードステーション２において、顧客及び装置データベース６は、顧客及び彼らのそれぞれの装置に関連付けられた識別番号（ＩＤ）及び鍵を有する。コンテンツデータベース４は、比較的大きく、図示しているように、例えば、顧客の大部分のデジタル化音声及び／又は映像プログラム素材（代表的には、ＭＰ３ファイル）を有する。そのプログラム素材は、容易なアクセスのために参照符号により符号化される。顧客が、偶然に、キオスク／ダウンロードステーション２に関連する小売店又は販売店からコンテンツデータベース４に含まれていないプログラム素材を購入する又は小売店又は販売店に持ち込む場合、そのような素材は、コンテンツデータベース４に適切な参照符号化を伴って容易に転送される。明らかに、可搬型装置８は、キオスク／ダウンロードステーション２が位置しているショップ又は公共の場と、ユーザのＰＣ１２が位置しているユーザの家との間で、ユーザにより移動されることが可能である。
【０００９】
デジタル制限管理（ＤＲＭ）システムは、データ又はプログラム素材の公開／秘密鍵暗号化を取り入れ、それにより、データ又はプログラム素材は指定された可搬型又は携帯型装置のみにより復号化されることを確実にする方式で、データ又はプログラム素材は可搬型装置に転送可能である。本発明の一実施形態においては、そのような暗号化は、そのような装置８にプログラム素材をダウンロードするために、可搬型又は携帯型装置８の公開鍵８のそれぞれを用いることにより、ショップのシステム又はキオスク／ダウンロードステーション２において利用されるものである。上記のように、そのような鍵を用いることにより、プログラム素材は、例えば、家庭用ＰＣ１２に対してバックアップされることが可能であるが、用いられる公開／暗号化鍵暗号化のために、信号指定された可搬型又は携帯型装置８にのみ再生されることが可能である。
【００１０】
本発明の他の実施形態においては、可搬型又は携帯型装置８は、秘密鍵が安全に記憶されている携帯型装置８の使用を介して、ショップ又はキオスク／ダウンロードステーション２のコンテンスデータベース４からダウンロードされるプログラム素材を復号化することが可能であるようになっている。代替として、装置８にプログラム素材の送信の進行中に、復号化及び再暗号化が行われることが望ましい。続いて、携帯型装置８は、更に、ユーザのＰＣ１２又は家庭のサーバ（図示せず）の公開鍵の使用によりプログラム素材を再暗号化し、ＰＣ１２にプログラム素材を転送するようになっている。このように、ＰＣ１２のメモリに記憶されている又は家庭のサーバに関連付けられている音声／映像コンテンツは、関連暗号鍵のみを用いることによりＰＣ１２又は家庭のサーバにより再生されることができる。このように、プログラム素材の更なる分散は回避される。
【００１１】
本発明の他の実施形態においては、携帯型装置８は、関連プログラム素材を更に安全にするように、ＰＣ１２又は他のメモリ装置へのメモリ１０におけるプログラム素材の何れのダウンロードを回避することができる。
【００１２】
キオスク／ダウンロードステーション２は、ビットレート（品質の所定レベルと関連付けられる）の所望のフォーマットに所望のプログラム素材を位置付け、デジタル権利を維持するように適切な鍵を所定の可搬型又は携帯型装置８に更に鍵化されることができるパーソナルコンピュータ、マイクロプロセッサ又はサーバ（図示せず）を有することが可能である。また、キオスク／ダウンロードステーション２、携帯型装置８及びＰＣ／家庭のサーバ１２間で接続されている接続は、代表的には、当該技術分野で既知であるように、有線又は無線接続のどちらかにより与えられる。例えば、有線接続については、ＵＳＢ２．０及びＩＥＥＥ１３９４を利用することができる。無線高速接続（５００Ｍｂｐｓより大きい）についての当該技術分野の最前線に現在ある他の接続は、後者がオーダー一桁遅いＷｉＦｉ（ワイヤレスフィデリティ）の新たな超広帯域（ＵＷＢ）を有する。
【００１３】
本発明の他の実施形態は、キオスク／ダウンロードステーション２に携帯型装置８のメモリにＣＤ／ＤＶＤのコンテンツをダウンロードするように依頼し、同じ結果を達成するようにリッピング、トランスコーディング等をエンドユーザが実施することを回避するために、エンドユーザがキオスク／ダウンロードステーション２を管理している小売店又はショップに個人的に所有しているＣＤ／ＤＶＤを持ち込むようにする。これに関して、この実施形態により、各々のＣＤ又はＤＶＤに関連付けられる一意の指紋を利用することができる。そのような指紋は、例えば、ＢＣＡ（著作権素材を保護するための構成）か又はブルーレイ（ＤＶＤ又はビデオディスクのための新しい音声映像技術）を用いることにより各々の関連ディスクにおける一意のシリアル番号を用いることにより与えられる。また、当該技術分野においては、全てのＣＤ及びＤＶＤが、一意に識別するために利用することができる幾つかの一意の物理的特性を有することが知られている。このように、同じＣＤ／ＤＶＤの複数のユーザは、携帯型装置８に関連プログラム素材をダウンロードするために、キオスク／ダウンロードステーション２を有するショップ又は他のプロバイダのところに行かずに済むことが可能である。同様に、ハードディスクドライブ（ＨＤＤ）に基づく家庭のサーバが一意に識別されることが可能であり、それによって、関連ニットワークを使用することにより、ユーザが購入したコンテンツ及びプログラム素材の全ては、彼が購入したＣＤ／ＤＶＤをリッピングすることなく、彼のサーバにおけるプログラム素材をユーザが聴くことを可能にするように、ネットワークに接続されたキオスク／ダウンロードステーション２から安全にダウンロードされることができる。
【００１４】
本発明の複数の実施形態についての上記の説明は、小売店に位置しているキオスク／ダウンロードステーション２を用いることを主に扱っていることに留意されたい。本発明は、そのように限定されるべきものではなく、キオスク／ダウンロードステーション２は、小売店以外の場所、例えば、ショッピングセンター、映画館等に位置付けられることが可能である。
【００１５】
図２を参照するに、ユーザによる新しい携帯型装置８の購入に関連する、本発明の一実施形態で必要な段階についてのフローチャートが示されている。第１段階２０は、購入された携帯型装置８を識別し、識別された顧客に装置８を関連付けるための段階である。この段階２０は、ＮＦＣ（近距離通信）を用いて、公開鍵を検索する段階と、識別のための関連装置ＩＤを安全に記憶する段階とを有する。代表的には、メーカー又は他のシステムはそれぞれ、各々の新しい装置８に一意のＩＤを予め割り当て、そのことは、キオスク／ダウンロードステーション２がそのようにすることが必要ないようにしていることに留意されたい。しかしながら、ＩＤの再割り当てがなされない場合、後者はそのようにするようにプログラミングされることができる。顧客又はユーザが新しい携帯型装置８を購入することに先立つ、種々のＣＤ及び／又はＤＶＤの小売店又はショップからの顧客による先行した購入は追跡され、将来のアクセスのために小売店の顧客及び装置データベース６に保存されることを考える。このような先行するアクションは、新しい携帯型装置８にダウンロードするために、購入者に所有され、コンテンツデータベース４に保持される楽曲又はプログラム素材を購入者が選択することを可能にするように、段階２２を実行可能にする。続いて、段階２４においては、選択された楽曲又はプログラム素材は、ダウンロードステーション２において公開鍵を用いて符号化される。その楽曲又はプログラム素材は、次いで、新しく購入された携帯型装置８のメモリ１０へのダウンロードにより、段階２６において転送される。この転送後、コンテンツデータベース４は、その楽曲又はプログラム素材（好適には、１つの単独のアトミックトランザクション）を含むように更新される。続いて、判定段階２８において、付加楽曲又はプログラム素材がダウンロードのために選択されたかどうかが判定され、その判定が否定的な場合、更なるアクションを終了するように段階３０に進む一方、その判定が肯定的な場合、新しく購入された携帯型装置８に付加楽曲又はプログラム素材をダウンロードするために、段階２４に再度進む。
【００１６】
図３を参照するに、本発明の他の実施形態において、先行して購入された携帯型装置又は可搬型装置の顧客又はユーザは、キオスク／ダウンロードステーション２の場所を訪れ、関連携帯装置８へのダウンロードのために新しいプログラム素材を購入するために、ショップ又は他の公共の場にその携帯型装置又は可搬型装置を持ち込むことができる。このような本発明の実施形態の複数の段階は、上記の図２のフローチャートに関連する本発明の実施形態における段階と実質的に同じである。それらの２つの実施形態の間の共通の段階は、同じ参照番号で表されている。異なる段階は段階２１及び２３のみである。更に具体的には、この実施例においては、ショップ又は小売店のコンテンツデータベース４に記憶されているプログラム素材と同じであるプログラムコンテンツ、例えば、楽曲を有する１つ又はそれ以上の新しいＣＤ及び／又はＤＶＤを購入することをユーザが決めたことを考える。例えば、ＣＤ／ＤＶＤのディスクの一意の物理的特徴が、コンテンツデータベール４において記憶されているプログラム素材とのその物理的コンテンツの関連性を与えるために、段階２１において用いられる。続いて、段階２３においては、携帯型装置８にダウンロードするために顧客により識別された楽曲又はプログラム素材は、段階２３において、コンテンツデータベース４から検索される。その後、段階２４、２６、２８及び３０が、図２のフローチャートに示すように、本発明の実施形態について上記したように続けられる。
【００１７】
図２の実施形態又は図３の実施形態のどちらが用いられるかに拘わらず、本発明の他の実施形態における顧客又は購入者の可搬型又は携帯型装置８にコンテンツデータベース４からダウンロードされたプログラム素材は、ユーザ／顧客／購入者のＰＣ１２へのアップロードを可能にするように、符号化される又はフラグが立てられることができる。符号化は、他のＰＣへのプログラム素材の何れの更なるアップロードを回避するようにフラグをリセットされるようにするように、そのプログラム素材において更に実施されることができる。更に、上記のように、携帯型装置８からＰＣ１２のメモリへのプログラム素材のアップロードにおいて、顧客が彼らのＰＣを管理することを可能にするように、顧客に対して小売店によりソフトウェアが供給されることができる。好適な実施形態におけるソフトウェアは、更新されたプログラムコンテンツが顧客のＰＣ１２にセキュアに記憶されることを確実にするために、例えば、ＤＲＭのようなセキュリティ符号化を有する。このように、顧客又は購入者は、他とプログラム素材を共有することを回避することができる。このような本発明の実施形態により、小売業者、プログラム素材における著作権者及びプログラム素材を保護する又は安全にすることに関心を有する他のひとは彼ら自身、このようにして、プログラム素材の購入に後続して、ユーザ／顧客／購入者は、ＣＤ、ＤＶＤ又は彼らのＰＣ１２に保持されているプログラム素材からプログラム素材を違法にコピーしないようにされる点で、保護されている。
【００１８】
更に具体的には、本発明の複数の実施形態は、エンドユーザによるプログラム素材の違法転送を回避するように保護するばかりでなく、著者、楽曲作成者、プロデューサ、携帯型装置８のメーカー及び販売業者からの連鎖に関連する全てのパーティーに明確な有利点を与え、小売店と小売店の顧客との間のトランザクションにおける効率を改善する。携帯型装置８のメーカーは、各々の携帯型装置８のための一意の識別符号化を用いることにより、ユーザの携帯型装置８に所望のプログラム素材を容易に及び非常に迅速にダウンロードする能力をユーザに与えることにおいて競合に対して有利な売り上げを獲得することができる。そのようなユーザは、小売業者のキオスク／ダウンロードステーション２のＣＤ／ＤＶＤにおいてプログラム素材の以前の販売の記録を保持することによりコストを抑えることができる、又は、上記のように、携帯型装置８への即座のダウンロードのためのＣＤ／ＤＶＤを購入することができる。このように、小売業者は、インターネットにおいて購入する又はプログラム素材の違法な転送に参加する顧客ではなく、小売店のところに戻って来る顧客の動機付けをもたらすことができる。本発明の複数の実施形態を用いることにより、顧客又はエンドユーザが携帯型装置８にプログラム素材を違法にダウンロードすることを防止することにより、そのようなプログラム素材のプロバイダ（コンテンツ産業）は、著作権素材の販売において大きい管理能力を維持することができる。また、エンドユーザは、特に、映像プログラム素材が含まれるときに、当該技術分野におけるブロードバンドインターネットの現在の状態により利用可能であるデータ転送レートより優れている高速の方式で、携帯型装置８へのプログラム素材の高速ダウンロードによりすぐに満足を得ることができる。
【００１９】
本発明の複数の実施形態を用いることにより、小売業者は、顧客に多くの動機付けを提供することができる。例えば、キオスク／ダウンロードステーション２を用いることにより、小売業者は、ＣＤ／ＤＶＤの指定されたコレクションを購入した顧客に対するボーナストラックを容易に提供することができる。例えば、顧客が３つの特別に指定されたＣＤを購入する場合に、その顧客は、例えば、彼らの携帯型装置８にダウンロードするための無料のボーナストラックを提供されることができるような動機付けプログラムが提供される。また、顧客は、ｉＴｕｎｅｓ、即ち、ＣＤにおいて利用可能でないトラックを与えるサービスにより現在供給されているような、彼らの携帯型装置８にダウンロードするための非ＣＤ／ＤＶＤの個別のトラックを購入することができる。後者のサービスはインターネットにより提供され、それにより、本発明を用いることによって、小売業者は、顧客自身が非ＣＤトラックを得るためのＰＣ／インターネット接続の必要性に対処する何れの必要条件を用いることなく、携帯型装置８へのダウンロードのために顧客に対してそのようなトラックを提供することができる。
【００２０】
上記においては、本発明の複数の実施形態について図示し、説明したが、それらは限定的なものではない。当業者は、修正が特許請求の範囲における範囲及び主旨により包含されることを意味する、上記実施形態に対する特定の修正について理解することができる。また、本発明の複数の実施形態について、上記のように、楽曲を有するＣＤ／ＤＶＤに関連して説明したが、プログラム素材は、そのように限定されるものではなく、ソフトウェア、ナビゲーション支援、ゲーム等の何れのデジタル化プログラム素材を有することが可能である。
【図面の簡単な説明】
【００２１】
【図１】本発明の異なる実施形態を有する複数のサービスを提供するための装置の模式的ブロック図である。
【図２】本発明の一実施形態についての、新たに購入された携帯型装置のハードドライブにショップ又は小売業者のデータベースから顧客により“所有された”プログラム素材をダウンロードするために有する段階を示すフローチャートである。
【図３】本発明の他の実施形態についての、携帯型装置のジュークボックスのユーザに新しいプログラムコンテンツを販売する小売業者又はショップのオーナーのために有する段階であって、それにより、新しいプログラム素材は、小売業者のデータベースから関連携帯型ジュークボックス装置のハードドライブにダウンロードされる、段階を示すフローチャートである。
【図１】
2008519472.tif 000003
【図２】
2008519472.tif 000004
【図３】
2008519472.tif 000005
【国際調査報告】
2008519472.tif 000006
2008519472.tif 000007
2008519472.tif 000008